(57)【要約】【課題】描画の際にユーザーの利用しやすい固形水彩絵具組成物を提供する。【解決手段】固形水彩絵具組成物１１は、３０質量％以上の顔料と、２５質量％以下の水と、セルロースエーテル系水溶性樹脂とを含む。【選択図】図１
2018127558.tif 000002
【特許請求の範囲】
【請求項１】
３０質量％以上の顔料と、
２５質量％以下の水と、
セルロースエーテル系水溶性樹脂とを含む、固形水彩絵具組成物。
【請求項２】
前記顔料は、パール顔料および蛍光顔料のうちの少なくともいずれか一方を含む、請求項１に記載の固形水彩絵具組成物。
【請求項３】
さらにポリエチレングリコールを含む、請求項１または請求項２に記載の固形水彩絵具組成物。
【請求項４】
前記顔料のうち、体質顔料以外の顔料の割合は、２９質量％以上である、請求項１〜請求項３のいずれか１項に記載の固形水彩絵具組成物。
【請求項５】
前記セルロース系水溶性樹脂は、カルボキシメチルセルロースナトリウムを含む、請求項１〜請求項４のいずれか１項に記載の固形水彩絵具組成物。
【請求項６】
前記セルロースエーテル系水溶性樹脂の含有割合は、３０質量％以下である、請求項１〜請求項５のいずれか１項に記載の固形水彩絵具組成物。
【発明の詳細な説明】
【技術分野】
【０００１】
この発明は、固形水彩絵具組成物に関するものである。
【背景技術】
【０００２】
従来から、水を含ませた筆でその表面を擦って筆に顔料成分を含ませ、画用紙等の描画対象に描画することができる固形水彩絵具組成物が、特開昭５８−９６６６１号公報（特許文献１）および特開２００７−９１９８号公報（特許文献２）に開示されている。
【先行技術文献】
【特許文献】
【０００３】
【特許文献１】特開昭５８−９６６６１号公報
【特許文献２】特開２００７−９１９８号公報
【発明の概要】
【発明が解決しようとする課題】
【０００４】
固形水彩絵具組成物はブロック状の形態を有しており、仕切りが設けられたパレットに色毎に配置されている。ユーザーは描画をする際に描画したい色に相当する固形水彩絵具組成物を目視で選択し、水を含ませた筆で固形水彩絵具組成物の表面を擦って固形水彩絵具組成物を筆に含ませることとしている。そして、固形水彩絵具組成物を含ませた筆により描画対象となる画用紙等に描画する。
【０００５】
ここで、固形水彩絵具組成物自体の発色性が不十分であると、目視によって色が確認しづらい場合が生ずるおそれがある。特に、光が多重層反射されるパール顔料や蛍光を発する蛍光顔料を用いる場合には、その傾向が顕著である。すなわち、実際にパレットに配置されているパール顔料や蛍光顔料の固形水彩絵具組成物の見た目と、この固形水彩絵具組成物を用いて描画した際の発色の程度が異なると、ユーザーが違和感を覚えることとなり好ましくない。
【０００６】
この発明の目的は、描画の際にユーザーの利用しやすい固形水彩絵具組成物を提供することである。
【課題を解決するための手段】
【０００７】
この発明に係る固形水彩絵具組成物は、３０質量％以上の顔料と、２５質量％以下の水と、セルロースエーテル系水溶性樹脂とを含む。
【０００８】
この発明に係る固形水彩絵具組成物は、３０質量％以上の顔料と、２５質量％以下の水とを含む。そして、セルロースエーテル系水溶性樹脂を含むため、ブロック状の固形水彩絵具組成物としての発色性が良好である。また、水を含ませた筆で擦って筆に固形水彩絵具組成物を含ませる際の水溶け性も良好である。さらに、セルロースエーテル系水溶性樹脂は固結性も良好であり、乾燥後も固化するため、高い湿度の環境下においても溶出しにくい。したがって、描画の際に、ユーザーが利用しやすいものとなる。
【０００９】
この発明に係る固形水彩絵具組成物に含まれる顔料は、パール顔料および蛍光顔料のうちの少なくとも一方を含むことが好ましい。このような固形水彩絵具組成物は、パール顔料や蛍光顔料について発色性を良好にすることができる。すなわち、実際にパレットに配置されているパール顔料や蛍光顔料の固形水彩絵具組成物の見た目と、この固形水彩絵具組成物を用いて描画した際の発色の程度の差を小さくすることができる。したがって、このような色をユーザーが選択する際に、ユーザーが利用しやすくすることができる。
【００１０】
この発明に係る固形水彩絵具組成物は、さらにポリエチレングリコールを含むことが好ましい。こうすることにより、描画した際の塗膜の乾燥時間を調整して、描画のしやすさを確保することができる。
【００１１】
この発明に係る固形水彩絵具組成物において、顔料のうち、体質顔料以外の顔料の割合は、２９質量％以上である。こうすることにより、体質顔料による色の濁り等を抑制して、発色性をさらに良好にすることができる。
【００１２】
ここで、セルロースエーテル系水溶性樹脂は、カルボキシメチルセルロースナトリウムを含むことが好ましい。このようなセルロースエーテル系水溶性樹脂を用いることにより、より上記した発色性の向上を図ることができる。
【００１３】
また、セルロースエーテル系水溶性樹脂の含有割合は、３０質量％以下であることが好ましい。このような含有割合とすることにより、より良好な水溶け性を確保することができる。
【発明の効果】
【００１４】
このような構成の固形水彩絵具組成物は、描画の際にユーザーが利用しやすい。
【図面の簡単な説明】
【００１５】
【図１】この発明の一実施形態に係る固形水彩絵具組成物の外観を示す斜視図である。
【図２】この発明の一実施形態に係る複数の固形水彩絵具組成物が収容されたパレットの外観の一部を示す斜視図である。
【図３】この発明の一実施形態に係る固形水彩絵具組成物を用いて描画する際の筆の外観を示す斜視図である。
【図４】この発明の一実施形態に係る固形水彩絵具組成物の代表的な製造工程を示すフローチャートである。
【発明を実施するための形態】
【００１６】
以下、この発明の実施の形態を説明する。図１は、この発明の一実施形態に係る固形水彩絵具組成物の外観を示す斜視図である。図１を参照して、この発明の一実施形態に係る固形水彩絵具組成物１１は、直方体形状であって、いわゆるブロック状である。すなわち、未使用の状態において、直方体形状に成型される。使用されるに従い、その大きさは徐々に小さくなる。それぞれの角については、若干丸められた形状である。図１中の矢印Ｄ１で示す下向きに見た場合に、固形水彩絵具組成物１１の表側に位置する一つの面１２は、略正方形状である。
【００１７】
図２は、複数の固形水彩絵具組成物１１が収容されたパレットの外観の一部を示す斜視図である。図２を参照して、パレット１３には、固形水彩絵具組成物１１を収容する複数の凹部１４が形成されている。凹部１４の形状は、固形水彩絵具組成物１１の直方体形状に沿ったものである。それぞれの凹部１４に、色の異なる複数の固形水彩絵具組成物１１が収容されている。収容された固形水彩絵具組成物１１は、その直方体形状を構成する一つの面１２が表側に露出した状態である。
【００１８】
図３は、固形水彩絵具組成物１１を用いて描画する際の筆の外観を示す斜視図である。図３を参照して、筆１５は、描画する際に固形水彩絵具組成物１１を含ませる毛部１６と、描画時等に主にユーザーが握る胴部１７とを備える。胴部１７は、中央の領域で第一の部材１８、および第二の部材１９に分離可能な構成である。第二の部材１９の内方側には空洞が設けられており、胴部１７を分離して、第二の部材１９の内側に水を収容することができる。第二の部材１９の空洞に所定量の水を収容し、第一の部材１８と第二の部材１９を接合し、第二の部材１９の領域をユーザーの指等で押圧することにより、第二の部材１９内に収容させた水を第一の部材１８を通じて毛部１６側に染み出させることができる。すなわち、第二の部材１９内に収容させた水により毛部１６を適量の水で濡らすことができる。ユーザーは、胴部１７を持ち、水で濡らせた毛部１６により固形水彩絵具組成物１１のうちの表側に露出する面１２をある程度の圧力で数回擦って、固形水彩絵具組成物１１の一部を筆１５側に付着させる。そして、固形水彩絵具組成物１１を含まれた筆１５の毛部１６により、画用紙等の描画対象に塗って描画する。色の選択については、固形水彩絵具組成物１１の表面を見てユーザーが判断する。
【００１９】
なお、固形水彩絵具組成物１１の形状については、直方体形状であることとしたが、これに限らず、立方体形状や薄板状であってもよいし、柱状や棒状であってもよい。すなわち、使用される用途や求められる使い勝手等に応じて、任意にその形状が定められる。
【００２０】
ここで、ユーザーが描画時において色を選択する際に、パレット１３の凹部１４に収容されている各色の固形水彩絵具組成物１１を見て色を判断する。したがって、固形水彩絵具組成物１１の見た目と、実際に描画時における発色が同一に近いことが望ましい。逆に、見た目の色と描画時の発色とが大きく異なっていると、ユーザーの描画の際に違和感を生じることとなり、ユーザーの利便性を損ねることになりかねない。したがって、描画する前のパレット１３等に収容された状態において、固形水彩絵具組成物１１の発色性が良好であることが望ましい。
【００２１】
ここで、固形水彩絵具組成物１１は、３０質量％以上の顔料と、２５質量％以下の水と、セルロースエーテル系水溶性樹脂とを含む。以下、固形水彩絵具組成物１１を構成する成分の詳細について説明する。
【００２２】
（１）顔料
顔料としては、固形水彩絵具組成物１１を着色する意味で、種々のものが用いられる。顔料としては、有機顔料、無機顔料、レーキ顔料、およびその他の固形水彩絵具組成物１１に用いられる顔料として一般的な着色剤などが挙げられる。すなわち、固形水彩絵具組成物１１を構成する顔料は、有機顔料、無機顔料、およびレーキ顔料からなる群から選択される一種または二種以上の物質とすることができる。
【００２３】
顔料としては、光が多重層反射されるパール顔料や蛍光を発する蛍光顔料も用いられる。すなわち、顔料は、パール顔料および蛍光顔料のうちの少なくともいずれか一方を含む構成であってもよい。このようなパール顔料や蛍光顔料は、描画において昨今、特に要求される色である。
【００２４】
顔料の含有割合については、３０質量％以上である。また、固形水彩絵具組成物１１に含まれる水は、２５質量％以下である。すなわち、固形水彩絵具組成物の全体に対して、３０質量％以上の顔料が含まれる。このような構成によれば、図１に示すような固形水彩絵具組成物１１としての形態を保つことができる。
【００２５】
顔料のうちの体質顔料については、色によっては、過剰な添加により発色性が損なわれるおそれがある。たとえば、上記したパール顔料や蛍光顔料と共に体質顔料を含有させる場合において、その傾向は顕著である。したがって、顔料のうち、体質顔料以外の顔料の含有割合を２９質量％以上とすることが好ましい。こうすることにより、色によらず、発色性を良好にすることができる。
【００２６】
（２）セルロースエーテル系水溶性樹脂
固形水彩絵具組成物１１に含まれるセルロースエーテル系水溶性樹脂は、主に紙に顔料を固結させる固結剤および展色剤として作用する。セルロースエーテル系水溶性樹脂としては、セルロースエーテルを含む水溶性樹脂であり、カルボキシメチルセルロースナトリウム、ヒドロキシエチルセルロース、メチルヒドロキシエチルセルロース、メチルヒドロキシプロピルセルロース等が挙げられる。固形水彩絵具組成物１１を構成するセルロースエーテル系水溶性樹脂は、カルボキシメチルセルロースナトリウム（ＣＭＣ（Ｓｏｄｉｕｍ  Ｃａｒｂｏｘｙｍｅｔｈｙｌ  Ｃｅｌｌｕｌｏｓｅ））、ヒドロキシエチルセルロース、メチルヒドロキシエチルセルロース、およびメチルヒドロキシプロピルセルロースからなる群から選択される一種または二種以上の物質とすることができる。
【００２７】
セルロースエーテル系水溶性樹脂の含有割合として、過剰に含有させると、色によっては発色性が低下したり、水溶け性が低下したりする場合がある。したがって、全体に対して３０質量％以下とすることが好ましい。
【００２８】
（３）他の水溶性樹脂
固形水彩絵具組成物１１に含まれる他の水溶性樹脂として、展色剤として用いられる水溶性樹脂をさらに含むことが好ましい。具体的には、アラビアガム、デキストリン、ポリビニルアルコール（ＰＶＡ（Ｐｏｌｙｖｉｎｙｌ  Ａｌｃｏｈｏｌ））、ポリビニルピロリドン（ＰＶＰ（Ｐｏｌｙｖｉｎｙｌｐｙｒｒｏｌｉｄｏｎｅ））等が挙げられる。固形水彩絵具組成物１１を構成する他の水溶性樹脂は、アラビアガム、デキストリン、ポリビニルアルコール（ＰＶＡ）、およびポリビニルピロリドン（ＰＶＰ）からなる群から選択される一種または二種以上の物質とすることができる。
【００２９】
（４）湿潤剤
固形水彩絵具組成物１１は、凍結防止剤、乾燥遅延剤として作用する湿潤剤を含むことが好ましい。湿潤剤は、描画を終えた後の塗膜のひび割れ防止にも作用する。湿潤剤としては、ポリエチレングリコール（ＰＥＧ（Ｐｏｌｙｅｔｈｙｌｅｎｅ  ｇｌｙｃｏｌ））、グリセリン、エチレングリコール、プロピレングリコール、ジプロピレングリコール、ソルビトール、尿素等が挙げられる。固形水彩絵具組成物１１を構成する湿潤剤は、ポリエチレングリコール（ＰＥＧ）、グリセリン、エチレングリコール、プロピレングリコール、ジプロピレングリコール、ソルビトール、および尿素からなる群から選択される一種または二種以上の物質とすることができる。なお、上記したＰＥＧ等の含有の有無については、たとえば、ガスクロマトグラフィーによる分析で判断することができる。
【００３０】
（５）界面活性剤（分散剤）
固形水彩絵具組成物１１は、顔料の分散助剤として作用する界面活性剤を含むことが好ましい。界面活性剤としては、アニオン系界面活性剤やノニオン系界面活性剤等が挙げられる。なお、このような界面活性剤の含有の有無については、たとえば、ＦＴ−ＩＲ（Ｆｏｕｒｉｅｒ  Ｔｒａｎｓｆｏｒｍ  Ｉｎｆｒａｒｅｄ  Ｓｐｅｃｔｒｏｓｃｏｐｙ）分析により判断することができる。
【００３１】
（６）界面活性剤（消泡剤）
固形水彩絵具組成物１１は、消泡効果を奏する界面活性剤を含むことが好ましい。消泡効果を奏する界面活性剤としては、シリコーン系界面活性剤、疎水性シリカ系界面活性剤、金属石鹸系界面活性剤、ポリエーテル系界面活性剤等が挙げられる。固形水彩絵具組成物１１を構成する界面活性剤は、シリコーン系界面活性剤、疎水性シリカ系界面活性剤、金属石鹸系界面活性剤、およびポリエーテル系界面活性剤からなる群から選択される一種または二種以上の物質とすることができる。
【００３２】
（７）その他の成分
固形水彩絵具組成物１１は、上記（１）〜（６）の成分のほか、例えば、防腐剤、防黴剤、酸化防止剤等を含んでいてもよい。
【００３３】
次に、この発明の一実施形態に係る固形水彩絵具組成物１１の製造方法の概略について、説明する。図４は、この発明の一実施形態に係る固形水彩絵具組成物１１の代表的な製造工程を示すフローチャートである。
【００３４】
図４を参照して、まず顔料、セルロースエーテル系水溶性樹脂、他の水溶性樹脂、湿潤剤、界面活性剤、防腐剤、および水をそれぞれ所定量準備する。そして、ニーダーで準備した材料を混練する（Ｓ１１：混練工程）。
【００３５】
次に、混練した混練物を土練機で成型する（Ｓ１２：成型工程）。この場合、細長い棒状、具体的には、四角柱状となるよう成型する。なお、成型後、４５℃の状態で２４時間乾燥させる。この段階における成形物に含まれる水の含有割合は、色によって多少の差異はあるものの、５．０質量％〜１６．０質量％程度である。
【００３６】
その後、成型したものを、所定の大きさに切断する（Ｓ１３：切断工程）。この時に、上記した図１に示す固形水彩絵具組成物１１の形状に近い形状となる。
【００３７】
そして、得られたものを乾燥させる（Ｓ１４：乾燥工程）。乾燥工程については、自然乾燥である。このようにして、この発明の一実施形態に係る固形水彩絵具組成物１１を得る。
【実施例】
【００３８】
成分組成の異なる固形水彩絵具組成物を実施例１〜実施例１２に示す配合に沿って作製し、評価試験を実施した。具体的な評価試験の内容については、後述する。また、この発明の範囲外であり、成分組成の異なる固形水彩絵具組成物を比較例１〜比較例４に示す配合に沿って作製した。そして、同様に評価試験を実施した。実施例１〜実施例１２、および比較例１〜比較例４の配合および評価結果については、表１および表２に示す。なお、表１および表２中の「−」は、材料が含まれていないことを示している。また、表１および表２中の数値の単位は、質量％である。以下に、実施例１〜実施例１２、および比較例１〜比較例４の配合の詳細について説明する。
【００３９】
【表１】
2018127558.tif 000003
【００４０】
【表２】
2018127558.tif 000004
【００４１】
（実施例１）
実施例１に係る固形水彩絵具組成物の製造に際し、以下の材料を準備した。具体的には、顔料としてパール顔料である商品名「Ｉｒｉｏｄｉｎ  ３００  Ｇｏｌｄ  Ｐｅａｒｌ」（メルク  パフォーマンス  マテリアル社製）、セルロースエーテル系水溶性樹脂としてカルボキシメチルセルロースである商品名「セロゲン５Ａ」（第一工業製薬株式会社製）、水溶性樹脂としてアラビアガムである商品名「インスタントガム  ＢＡ」（ネキシラ社製）、湿潤剤としてグリセリンである商品名「精製グリセリン」（新日本理化株式会社製）、同じく湿潤剤としてポリエチレングリコールである商品名「ＰＥＧ−６０００Ｓ」（三洋化成工業株式会社製、平均分子量８６００）、分散剤として直鎖ドデシルベンゼンスルホン酸ナトリウムである商品名「ニューレックス  ソフトタイプ  ３０」（日油株式会社製）、消泡剤として疎水性シリカ系界面活性剤である商品名「ノプコ８０３４−Ｌ」（サンノプコ株式会社製）、防腐剤として商品名「サンアイバックＳＡ」（三愛石油株式会社製）、および水を準備した。各材料を表１に示す配合割合で混ぜ、図４に示す製造工程に従い、実施例１に係る固形水彩絵具組成物を得た。得られた固形水彩絵具組成物における顔料の含有割合は、４２％であり、水の含有割合は、０．３％であった。
【００４２】
（実施例２）
実施例２に係る固形水彩絵具組成物の製造に際し、以下の材料を準備した。顔料として蛍光顔料である商品名「ＳＩＮＬＯＩＨＩ  ＣＯＬＯＲ  ＦＬ−１５」（シンロイヒ株式会社製）、分散剤としてノニオン系界面活性剤である商品名「プライサーフＡ−２１２Ｅ」（第一工業製薬株式会社製）を準備した。セルロースエーテル系水溶性樹脂、他の水溶性樹脂、湿潤剤、分散剤、消泡剤、および防腐剤については、実施例１と同じものを用いた。各材料を表１に示す配合割合で混ぜ、図４に示す製造工程に従い、実施例２に係る固形水彩絵具組成物を得た。得られた固形水彩絵具組成物における顔料の含有割合は、４２％であり、水の含有割合は、０．３％であった。
【００４３】
（実施例３）
実施例１に係る固形水彩絵具組成物の製造工程において、セルロースエーテル系水溶性樹脂の含有割合と他の水溶性樹脂の含有割合とを表１に示す配合割合とした以外は実施例１と同様の工程で実施例３に係る固形水彩絵具組成物を得た。得られた固形水彩絵具組成物における顔料の含有割合は、４２％であり、水の含有割合は、０．３％であった。
【００４４】
（実施例４）
実施例２に係る固形水彩絵具組成物の製造工程において、セルロースエーテル系水溶性樹脂の含有割合と他の水溶性樹脂の含有割合とを表１に示す配合割合とした以外は実施例２と同様の工程で実施例４に係る固形水彩絵具組成物を得た。得られた固形水彩絵具組成物における顔料の含有割合は、４２％であり、水の含有割合は、０．３％であった。
【００４５】
（実施例５）
実施例１に係る固形水彩絵具組成物の製造工程において、セルロースエーテル系水溶性樹脂の含有割合と他の水溶性樹脂の含有割合とを表１に示す配合割合とした以外は実施例１と同様の工程で実施例５に係る固形水彩絵具組成物を得た。得られた固形水彩絵具組成物における顔料の含有割合は、４２％であり、水の含有割合は、０．３％であった。
【００４６】
（実施例６）
実施例２に係る固形水彩絵具組成物の製造工程において、セルロースエーテル系水溶性樹脂の含有割合と他の水溶性樹脂の含有割合とを表１に示す配合割合とした以外は実施例２と同様の工程で実施例６に係る固形水彩絵具組成物を得た。得られた固形水彩絵具組成物における顔料の含有割合は、４２％であり、水の含有割合は、０．３％であった。
【００４７】
（実施例７）
実施例１に係る固形水彩絵具組成物の製造工程において、顔料の含有割合とセルロースエーテル系水溶性樹脂の含有割合とを表１に示す配合割合とした以外は実施例１と同様の工程で実施例７に係る固形水彩絵具組成物を得た。得られた固形水彩絵具組成物における顔料の含有割合は、４８％であり、水の含有割合は、０．３％であった。
【００４８】
（実施例８）
実施例２に係る固形水彩絵具組成物の製造工程において、顔料の含有割合とセルロースエーテル系水溶性樹脂の含有割合とを表１に示す配合割合とした以外は実施例１と同様の工程で実施例８に係る固形水彩絵具組成物を得た。得られた固形水彩絵具組成物における顔料の含有割合は、４８％であり、水の含有割合は、０．３％であった。
【００４９】
（実施例９）
実施例１に係る固形水彩絵具組成物の製造工程において、セルロースエーテル系水溶性樹脂の含有割合と他の水溶性樹脂の含有割合とを表２に示す配合割合とした以外は実施例１と同様の工程で実施例９に係る固形水彩絵具組成物を得た。得られた固形水彩絵具組成物における顔料の含有割合は、４２％であり、水の含有割合は、０．３％であった。
【００５０】
（実施例１０）
実施例２に係る固形水彩絵具組成物の製造工程において、セルロースエーテル系水溶性樹脂の含有割合と他の水溶性樹脂の含有割合とを表２に示す配合割合とした以外は実施例２と同様の工程で実施例１０に係る固形水彩絵具組成物を得た。得られた固形水彩絵具組成物における顔料の含有割合は、４２％であり、水の含有割合は、０．３％であった。
【００５１】
（実施例１１）
実施例１に係る固形水彩絵具組成物の製造工程において、セルロースエーテル系水溶性樹脂の含有割合を表２に示す配合割合とし、他の水溶性樹脂は含有しなかった以外は実施例１と同様の工程で実施例１１に係る固形水彩絵具組成物を得た。得られた固形水彩絵具組成物における顔料の含有割合は、４２％であり、水の含有割合は、０．３％であった。
【００５２】
（実施例１２）
実施例２に係る固形水彩絵具組成物の製造工程において、セルロースエーテル系水溶性樹脂の含有割合を表２に示す配合割合とし、他の水溶性樹脂は含有しなかった以外は実施例１と同様の工程で実施例１２に係る固形水彩絵具組成物を得た。得られた固形水彩絵具組成物における顔料の含有割合は、４２％であり、水の含有割合は、０．３％であった。
【００５３】
（比較例１）
実施例１に係る固形水彩絵具組成物の製造工程において、顔料のうちの体質顔料としてさらにモンモリロナイトである商品名「ベントナイト」（株式会社ホージュン製）を準備した。他の水溶性樹脂、湿潤剤、分散剤、消泡剤、および防腐剤については、実施例１と同じものを用いた。なお、比較例１においては、セルロースエーテル系水溶性樹脂は含有されていない。各材料を表２に示す配合割合で混ぜ、図４に示す製造工程に従い、比較例１に係る固形水彩絵具組成物を得た。得られた固形水彩絵具組成物における顔料の含有割合は、４３％であり、水の含有割合は、０．３％であった。
【００５４】
（比較例２）
実施例２に係る固形水彩絵具組成物の製造工程において、顔料のうちの体質顔料としてさらにモンモリロナイトである商品名「ベントナイト」（株式会社ホージュン製）を準備した。他の水溶性樹脂、湿潤剤、分散剤、消泡剤、および防腐剤については、実施例１と同じものを用いた。なお、比較例２においては、セルロースエーテル系水溶性樹脂は含有されていない。各材料を表２に示す配合割合で混ぜ、図４に示す製造工程に従い、比較例２に係る固形水彩絵具組成物を得た。得られた固形水彩絵具組成物における顔料の含有割合は、４３％であり、水の含有割合は、０．３％であった。
【００５５】
（比較例３）
比較例１に係る固形水彩絵具組成物の製造工程において、水溶性樹脂の含有割合を表２に示す配合割合とし、体質顔料は含有しなかった以外は比較例１と同様の工程で比較例３に係る固形水彩絵具組成物を得た。なお、比較例３においても、セルロースエーテル系水溶性樹脂は含有されていない。得られた固形水彩絵具組成物における顔料の含有割合は、４２％であり、水の含有割合は、０．３％であった。
【００５６】
（比較例４）
比較例２に係る固形水彩絵具組成物の製造工程において、水溶性樹脂の含有割合を表２に示す配合割合とし、体質顔料は含有しなかった以外は比較例２と同様の工程で比較例４に係る固形水彩絵具組成物を得た。なお、比較例４においても、セルロースエーテル系水溶性樹脂は含有されていない。得られた固形水彩絵具組成物における顔料の含有割合は、４２％であり、水の含有割合は、０．３％であった。
【００５７】
次に、評価試験の内容について説明する。評価試験については、以下の三つの評価項目について実施した。
【００５８】
「発色性」については、固形水彩絵具組成物の外観の色および描画した際の塗り色が、顔料自体の色と比べて悪くなっているか否かを目視で判断した。塗り色については、上記した図３に示す筆１５で毛部１６に水をたっぷりと含ませ、固形水彩絵具組成物１１の面１２を５回擦り、画用紙に塗布して判断した。
【００５９】
発色性の評価としては、外観色および塗り色共に顔料自体の色と同等であるものを「Ａ」、外観色および塗り色の一方または双方が顔料自体の色と比較して若干くすんでいるものを「Ｂ」、外観色および塗り色の一方または双方が顔料自体の色と比較してくすんでいるものを「Ｃ」として評価した。「Ａ」および「Ｂ」の評価までが、問題のないレベルである。
【００６０】
水溶け性については、上記した図３に示す筆１５で毛部１６に水をたっぷりと含ませ、固形水彩絵具組成物１１の面１２を５回擦り、画用紙にまず塗布する。そして、色がはっきり目視で判別できる程度に着色する場合を「Ａ」、着色するが色がはっきり判別できない場合を「Ｂ」として評価した。「Ａ」および「Ｂ」の評価までが、問題のないレベルである。
【００６１】
耐高湿度性については、固形水彩絵具組成物１１を温度２０℃、湿度１００％の条件下で保存した。そして、保存後の状態に変化がなかった場合を「Ａ」、溶け出すまではいかないが、やや変形した場合を「Ｂ」、保存後の状態において固形水彩絵具組成物１１が溶け出し、変形した場合を「Ｃ」として評価した。「Ａ」の評価が、問題のないレベルである。
【００６２】
表１および表２を参照して、実施例１〜実施例８については、「発色性」、「水溶け性」、および「耐高湿度性」は全て「Ａ」の評価であり、優良なものとなっている。実施例９および実施例１０については、「発色性」および「水溶け性」について全て「Ａ」の評価であるが、「耐高湿度性」については、「Ｂ」の評価である。したがって、良好な耐高湿度性を確保したい場合には、セルロースエーテル系水溶性樹脂の含有割合を０．１００質量％よりも多くするのが良い。実施例１１および実施例１２については、「発色性」および「耐高湿度性」について全て「Ａ」の評価であるが、「水溶け性」については、「Ｂ」の評価である。したがって、良好な水溶け性を確保したい場合には、セルロースエーテル系水溶性樹脂の含有割合を４０．００質量％よりも少なくするのが良い。
【００６３】
これに対し、比較例１〜比較例４を見てみると、いずれかの項目で、「Ｃ」の評価となっている。具体的には、セルロースエーテル系水溶性樹脂を含有せず、体質顔料を含有した比較例１および比較例２については、「発色性」の項目で「Ｃ」の評価となっている。したがって、セルロースエーテル系水溶性樹脂を含有させず体質顔料を含有させた系については、「発色性」が不十分である。セルロースエーテル系水溶性樹脂および体質顔料を含有せず、他の水溶性樹脂の含有割合を多くした比較例３および比較例４については、「耐高湿度性」の項目で「Ｃ」の評価となっている。したがって、セルロースエーテル系水溶性樹脂および体質顔料を含有せず、他の水溶性樹脂の含有割合を多くした系については、「耐高湿度性」が不十分である。
【００６４】
以上より、この発明に係る固形水彩絵具組成物によれば、描画の際にユーザーが利用しやすいものとなる。
【００６５】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００６６】
この発明に係る固形水彩絵具組成物は、描画の際のユーザーの利便性の向上が要求される場合に、特に有効に利用される。
【符号の説明】
【００６７】
１１  固形水彩絵具組成物、１２  面、１３  パレット、１４  凹部、１５  筆、１６  毛部、１７  胴部、１８  第一の部材、１９  第二の部材。
【図１】
2018127558.tif 000005
【図２】
2018127558.tif 000006
【図３】
2018127558.tif 000007
【図４】
2018127558.tif 000008